(57)【要約】【課題】管継手の外周に不要な外周線を形成することなく、被保持部を構成する。【解決手段】第１筒部１２の外周面でスライド溝１２Ａよりも他端Ｂ側には、被保持部３３が構成されている。被保持部３３は、周方向に互いに対向する位置で、外周線３０と軸方向に異なる位置に一対のみ構成されている。被保持部３３は、平坦部３４と傾斜部３５とで構成されている。平坦部３４は、第１筒部１２の外周よりも径方向内側に形成され、一対の平坦部３４が互いに平行に配置される平坦面で構成されている。傾斜部３５は、平坦部３４の軸方向端部３４Ｅから第１筒部１２の外周面に向かって大径となるように軸方向に傾斜された傾斜面で構成されている。【選択図】図１
2010261525.tif 000002
【特許請求の範囲】
【請求項１】
円筒状とされ一端側から管が挿入される筒部と、
前記筒部の内周に配置され、前記管の外周面と前記筒部の内周面との間を密閉するシールリングと、
前記筒部の前記シールリングよりも他端側の外周に周方向に形成された差し込み代用の外周線部と、
前記筒部の外周において周方向に互いに対向する位置でかつ前記外周線と軸方向に異なる位置に一対のみ構成され、前記筒部の外周よりも径方向内側に形成される平坦部と、前記平坦部の軸方向端部から前記筒部の外周面に向かって大径となるように傾斜された傾斜部と、を有する被保持部と、
を備えた管継手。
【請求項２】
前記筒部の前記他端側には、前記筒部の他端側を閉鎖する止水栓を着脱可能な接続部が構成されていること、を特徴とする請求項１に記載の管継手。
【請求項３】
前記筒部の前記一端側には、挿入された管を着脱可能な着脱部が構成されていること、を特徴とする請求項１または請求項２に記載の管継手。
【請求項４】
前記傾斜部と前記筒部の径方向の断面との角度は３０度〜６０度であること、を特徴とする請求項１〜３のいずれか１項に記載の管継手。
【発明の詳細な説明】
【技術分野】
【０００１】
本発明は、給水・給湯用などの配管を行った後、配管の下流側末端部に接続して、水漏れのテスト等を行うための管継手に関する。
【背景技術】
【０００２】
近年、給水、給湯用などの配管に樹脂製の管が用いられている。樹脂製の管は、軽量で扱いやすく、金属管のように錆びも発生しないという利点を有している。また、樹脂製の管を接続するために、ワンタッチで接続可能な継手も用いられており、簡易に施工を行うことが可能となっている。
【０００３】
ところで、このような樹脂製の管を接続する管継手に、スパナ、レンチなどの工具による保持を可能とするため、被保持部として、外周に六角部が構成されることがある（特許文献１参照）。管の外周に六角部を構成した場合、六角部の軸方向両端には周方向に外周線が形成される。樹脂製の管を管継手と接続する場合には、管を適切な位置まで管継手に差し込む必要があることから、差し込みの目印となる外周線を意図的に管継手に形成することがある。しかしながら、六角部を構成すると、目印となる外周線と混同されるおそれのある外周線が形成されてしまう。
【先行技術文献】
【特許文献】
【０００４】
【特許文献１】特開２００８−２５７６２号公報
【発明の概要】
【発明が解決しようとする課題】
【０００５】
本発明は、上記のような従来技術に鑑みてなされたものであり、管継手の外周に不要な外周線を形成することなく安全な被保持部を構成した管継手を提供することを目的とするものである。
【課題を解決するための手段】
【０００６】
本発明の請求項１に記載の管継手は、円筒状とされ一端側から管が挿入される筒部と、前記筒部の内周に配置され、前記管の外周面と前記筒部の内周面との間を密閉するシールリングと、前記筒部の前記シールリングよりも他端側の外周に周方向に形成された差し込み代用の外周線部と、前記筒部の外周において周方向に互いに対向する位置でかつ前記外周線と軸方向に異なる位置に一対のみ構成され、前記筒部の外周よりも径方向内側に形成される平坦部と、前記平坦部の軸方向端部から前記筒部の外周面に向かって大径となるように傾斜された傾斜部と、を有する被保持部と、を備えている。
【０００７】
本発明の管継手では、互いに対向する平坦部が筒部の外周に一対のみ構成されている。この平坦部をスパナで保持することにより、スパナを用いて、筒部を対象物に対して締結させることができる。本発明では、全周に亘って六角形状とするのではなく、平坦部が一対のみ構成されているので、周方向の外周線が形成されることがない。したがって、六角とした場合のように外周線が形成ることがなく、シールリングよりも挿入方向の奥側（他端側）に形成される差し込み代としての目印用の外周線部との混同を回避することができる。
【０００８】
また、平坦部が筒部の外周面よりも径方向内側に形成されているので、外周面と平坦部との間に段差による角部が構成されるが、本発明では、平坦部の軸方向端部から筒部の外周面に向かって大径となる傾斜部が構成されているので、段差の角部が鈍角となり、当該角部における安全性を高めることができる。
【０００９】
本発明の請求項２に記載の管継手は、前記筒部の前記他端側には、前記筒部の他端側を閉鎖する止水栓を着脱可能な接続部が構成されていること、を特徴とする。
【００１０】
上記の構成によれば、止水栓を取り付けて配管の止水を行い、水圧テスト、気密テストなどを行うことができる。
【００１１】
本発明の請求項３に記載の管継手は、前記筒部の前記一端側には、挿入された管を着脱可能な着脱部が構成されていること、を特徴とする。
【００１２】
上記の構成によれば、管継手と管とを着脱することができ、例えば、水圧テスト、気密テストを行うために装着し、終了後に取り外して、使用することができる。
【００１３】
本発明の請求項４に記載の管継手は、前記傾斜部と前記筒部の径方向の断面との角度は３０度〜６０度であること、を特徴とする。
【００１４】
３０度未満では段差の角度が鋭くなってしまい、６０度を超える角度であれば切削面積が広くなり無駄となるので、３０度〜６０度の範囲内とすることにより、無駄なスペースを広げることなく段差の角部についての安全性を適切に確保することができる。
【発明の効果】
【００１５】
本発明の構成によれば、管継手の外周に不要な外周線を形成することなく、被保持部を構成することができる。
【図面の簡単な説明】
【００１６】
【図１】本発明の実施形態に係る管継手の半裁断面図である。
【図２】本発明の実施形態に第１筒部の半裁断面図である。
【図３】本発明の実施形態に係る管継手を第１筒部側からみた一部斜視図である。
【図４】本発明の実施形態に係る管継手と、外周線の記された管を第１筒部側からみた一部斜視図である。
【図５】本発明の実施形態に係る管継手の被保持部を工具で保持した状態を示す一部斜視図である。
【図６】本発明の実施形態に係る管継手に管が接続された状態を示す半裁断面図である。
【図７】本発明の実施形態に係る管継手から管を取り外す状態を示す半裁断面図である。
【発明を実施するための形態】
【００１７】
以下、本発明の実施の形態を図面に基づいて説明する。
【００１８】
図１は、本発明の実施形態である管継手１０を示す半裁断面図である。管継手１０は、第１筒部１２、第２筒部１４、スライドキャップ１６を備えている。
【００１９】
図１〜図３に示されるように、第１筒部１２は、円筒状とされている。第１筒部１２には、軸方向の一端Ａ側から管４０が挿入される。第１筒部１２の外周の軸方向（挿入方向）一端Ａ側には、スライド溝１２Ａが構成されている。スライド溝１２Ａは、軸方向に所定の幅をもった周方向の凹溝とされている。また、第１筒部１２の一端Ａ側の内周面には、軸方向他端Ｂ側に向かって大径となるテーパー部１２Ｔが構成されている。第１筒部１２の他端Ｂ側の内周には、雌ネジ１２Ｎが形成されている。雌ネジ１２Ｎとテーパー部１２Ｔの間には、後述する止め輪２８を嵌め込む溝１２Ｍが構成されている。
【００２０】
第２筒部１４は、円筒状とされ、一端側に第１筒部１２の雌ネジ１２Ｎと螺合される雄ネジ１４Ｎが形成されている。また、雄ネジ１４Ｎの基端側には、フランジ部１４Ｆが形成されている。フランジ部１４Ｆは、雄ネジ１４Ｎのねじ山よりも大径とされ、第１筒部１２の他端Ｂよりもわずかに小径とされている。第２筒部１４の他端側の内周面には、雌ネジ１４Ｍが形成されている。第２筒部１４の一端側の内周面には、段差部１４Ｄが構成されている。段差部１４Ｄは、径方向外側へ拡径されており、第２筒部１４の内周よりも大径とされている。第２筒部１４の軸方向外側（第１筒部１２側）には、リング状のキャップリング１３が取り付けられている。キャップリング１３と段差部１４Ｄとの間には、凹溝が構成され、後述するシールリング２６が嵌め込まれる。
【００２１】
第２筒部１４は、雄ネジ１４Ｎが、第１筒部１２の他端Ｂの先端がフランジ部１４Ｆに突き当てられる位置まで雄ネジ１２Ｎと螺合されることにより、第１筒部１２と連結されている。
【００２２】
スライドキャップ１６は、円筒状とされ、円筒の内壁側を構成する内筒部１７と、円筒の外壁側を構成する外筒部１８を備え、内筒部１７と外筒部１８の間に係合空間１６Ａが構成されている。内筒部１７と外筒部１８は、先端部１９で連結され、先端部１９により係合空間１６Ａの一端が閉鎖されている。係合空間１６Ａには、第１筒部１２の一端Ａ側が挿入され、外筒部１８がスライド溝１２Ａに係合されている。
【００２３】
内筒部１７の先端部１９と逆側は、外筒部１８よりも他端側に延び、先端に径方向外側へ延出されたフランジ部１７Ｆが形成されている。内筒部１７のフランジ部１７Ｆよりも先端部１９側には、周方向の４箇所に、後述する管保持爪２２を取り付けるための取付穴１７Ｈが構成されている。スライドキャップ１６は、軸方向に沿って、スライド溝１２Ａ内を移動可能とされている。
【００２４】
取付穴１７Ｈの各々には、管保持爪２２が配置されている。管保持爪２２は、スライドキャップ１６の内側に向かって露出する爪部２２Ａを有している。爪部２２Ａは、管４０の外周面に食い込み可能な先端を有する凸条とされている。管保持爪２２は、取付穴１７Ｈに係合されており、スライドキャップ１６と共に移動可能とされている。
【００２５】
フランジ部１７Ｆとキャップリング１３の間には、コイルスプリング２４が配置されている。コイルスプリング２４により、スライドキャップ１６は、軸方向の外側（第１筒部１２の一端Ａから遠ざかる方向）へ向かって付勢されている。これにより、管保持爪２２は、第１筒部１２のテーパー部１２Ｔの中間位置に配置され、爪部２２Ａがスライドキャップ１６の内壁から内側へ突出される。
【００２６】
キャップリング１３に閉鎖された段差部１４Ｄには、シールリング２６が嵌め込まれている。シールリング２６により、管３０の外周面と第２筒部１４の内周面との間が密閉される。第１筒部１２の溝１２Ｍには、止め輪２８が嵌め込まれている。止め輪２８により、シールリング２６を交換する目的で第２筒部１４を第１筒部１２から取り外す際、キャップリング１３がコイルスプリング２４によって飛び出るのを防ぐ構造とされている。
【００２７】
第１筒部１２と第２筒部１４とが連結された状態で、第１筒部１２の他端Ｂと第２筒部１４のフランジ部１４Ｆとの接合部分には、外周線３０が形成される。外周線３０は、管４０の差し込み代の目印となる線であり、シールリング２６よりも第２筒部１４の雌ネジ１４Ｍ側に構成されている。スライドキャップ１６の先端面から外周線３０の長さＬが、管４０の差し込み代となる。ユーザーは、図４に示すように、管４０の差し込み先端部から長さＬの位置に周線４０Ｌを書き込み、この周線が見えなくなる位置まで管４０を管継手１０に差し込むことになる。
【００２８】
第１筒部１２の外周面でスライド溝１２Ａよりも他端Ｂ側には、被保持部３３が構成されている。被保持部３３は、図２に示すように、周方向に互いに対向する位置で、外周線３０と軸方向に異なる位置に一対のみ構成されている。被保持部３３は、平坦部３４と傾斜部３５とで構成されている。平坦部３４は、第１筒部１２の外周よりも径方向内側に形成され、一対の平坦部３４が互いに平行に配置される平坦面で構成されている。傾斜部３５は、平坦部３４の軸方向端部３４Ｅから第１筒部１２の外周面に向かって大径となるように軸方向に傾斜された傾斜面で構成されている。傾斜部３５は、図２に示すように、第１筒部１２の径方向の断面Ｘとの間の角度を傾斜角度θとすると、傾斜角度θが、３０度〜６０度であることが好ましい。
【００２９】
一対の被保持部３３の平坦部３４は、図５に示すように、第１筒部１２の組み付けや取り外しを行う際に工具ＳＰ（スパナ、レンチなど）で保持するための部分として設けられている。一対の被保持部３３の周方向における延長上には、段差や切り込み線などが形成されていない。
【００３０】
図１に示すように、管継手１０の管４０が差し込まれる側と逆側（雌ネジ１４Ｍ側）には、止水栓４２を取付可能とされている。止水栓４２は、雌ネジ１４Ｍに螺合される雄ネジ部４２Ｎと、雄ネジ部４２Ｎよりも大径のフランジ部４２Ｆを備えている。フランジ部４２Ｆの雄ネジ部４２Ｎ側には、シールリング４３が配置されている。止水栓４２を、フランジ部４２Ｆが第２筒部１４の先端面に当接される位置までねじ込むことにより、管継手１０の第２筒部１４の他端側開口が閉鎖される。
【００３１】
次に、管継手１０への管４０の接続動作、及び、取り外し動作について説明する。
【００３２】
管４０を取り付ける際には、管４０を第１筒部１２の一端Ａ側から挿入し、管４０の先端がシールリング２６を超え、雌ネジ１４Ｍの手前に配置されるまで差し込む。すなわち、管４０の外周に記した前述の差し込み代用の周線が、スライドキャップ１６によって隠れる位置まで差し込むことになる。これにより、図６に示すように、シールリング２６により管４０の外周面と第２筒部１４の内周面との間がシールされると共に、管保持爪２２の爪部２２Ａが管４０に食い込んで、管４０が管継手１０に接続される。この状態で、止水栓４２を管継手１０の他端側に取り付けて止水を行い、水圧テストや気密テストを行うことができる。
【００３３】
管４０を取り外す際には、図７に示すように、スライドキャップ１６を軸方向の第１筒部１２側へ移動させる。これにより、管保持爪２２がテーパー部１２Ｔを大径となっている他端Ｂ側へ移動し、径方向外側へ退避して爪部２２の管４０への食い込みが解放される。この状態で、管４０を引き抜くことにより、管継手１０から管４０を取り外すことができる。
【００３４】
本実施形態によれば、一対の被保持部３３の周方向における延長上には、段差や切り込み線などが形成されていないので、被保持部３３を六角形状に構成した場合と比較して、外周線３０と混同される可能性のある外周線を形成しないことができる。
【００３５】
また、被保持部を外周面に構成した場合、被保持部と外周面との間の段差部分がエッジとなって、引っ掛かりの原因になることがあるが、本実施形態では、傾斜部３５を構成しているので、安全性にも優れた構成とすることができる。
【符号の説明】
【００３６】
１０   管継手
１２   第１筒部
１４   第２筒部
１４Ｎ 雄ネジ
２２   管保持爪
３０   外周線
３３   被保持部
３４Ｅ 軸方向端部
３４   平坦部
３５   傾斜部
４０   管
【図１】
2010261525.tif 000003
【図２】
2010261525.tif 000004
【図３】
2010261525.tif 000005
【図４】
2010261525.tif 000006
【図５】
2010261525.tif 000007
【図６】
2010261525.tif 000008
【図７】
2010261525.tif 000009